(57)【特許請求の範囲】
【請求項１】
便器に着脱自在に組み付けられる衛生洗浄装置において、温水タンクの水抜弁を、必要に応じて手動により開閉させ、また、衛生洗浄装置の着脱操作に連動して自動閉弁されるようにしたものであって、ばねにより閉弁付勢された弁体を備える水抜弁、および該水抜弁の開閉操作用の押引動杆と、該押引動杆の動きを前記弁体に伝えて開弁させる伝動部材、および前記開弁状態を維持する開弁維持手段と、衛生洗浄装置を便器に着脱自在に固定させるために、便器側に設けた被係合部材、および衛生洗浄装置側に設けられ、前記押引動杆の動きと連動して被係合部材と係脱される係合部材を具備して構成したことを特徴とする衛生洗浄装置の水抜弁開閉機構。
【請求項２】
前記伝動部材は、その中間部が支軸に枢支され、一端は前記押引動杆に設けた突出ピンに係止させ、他端を前記弁体の支軸に当接するＬ字形状レバーであり、前記開弁維持手段は、前記押引動杆の中途に設けられて、衛生洗浄装置の一端側に係脱可能な係合突部であることを特徴とする請求項１記載の衛生洗浄装置の水抜弁開閉機構。
【請求項３】
前記被係合部材は、一端をばね力により押圧付勢して、他端を電動部材の一端に係止する突出ピンを備えて押引動杆と当設するように配置した左右動レバーに複数の鉤状突起を備えて構成し、前記被係合部材は、係合部材の鉤状突起に係脱する鉤状凹部を備えており、前記押引動杆を押引動により係合部材と被係合部材を係脱するよう構成したことを特徴とする請求項１若しくは請求項２記載の衛生洗浄装置の水抜弁開閉機構。
【発明の詳細な説明】
【０００１】
【発明の属する技術分野】
本発明は、水抜弁を設けた温水タンクを内蔵し、便器に着脱自在に組付けられる衛生洗浄装置の水抜弁開閉機構に関する。
【０００２】
【従来の技術】
手動で開閉される上記水抜弁は、厳寒季の夜間の凍結防止や、使用を一時中止する時の不衛生化を防ぐ為に開弁される。そして、衛生洗浄装置を、修理・点検等の為に取り外す時の、残水の漏出を防ぐ役割も果してくれる。この残水を無くすことは、温水タンクの構造上面倒である。
【０００３】
上記取外しの際に、水抜弁が開いたままになっていることは、その取扱い上の事情からして間々有り得ることである。そして、点検作業者が、これに気付かずに衛生洗浄装置を取外すと、導電部が被水したり、衣服やトイレの床が水びたしになる失態を招くことになる。
【０００４】
更に、取外した衛生洗浄装置を再び便器に組付ける際に、閉ざして置くべき水抜弁が、何等かの事情で開いたままになっていることも十分に有り得る。その場合には、便器の使用時に、温水タンクに供給される水は水抜弁を通って便器内に直接放流されてしまう不都含が生ずる。
【０００５】
そこで、特開平８―３２６１３０号公報にて、保守・点検等の為に、便器から衛生洗浄装置を取外すと、水抜弁が開いている場合には、その取外し操作に連動して水抜弁が自動的に閉弁されるようにした衛生洗浄装置の水抜弁開閉機構を提案した。
【０００６】
図１１は、前記衛生洗浄装置の水抜弁開閉機構の１例を示すもので、１０１は、温水タンク１０２の下部に設けた排水口１０３の弁座１０４に接離可能に配設した弁体である。１０５は前記弁体１０１を開閉操作するための押引動杆であり、前記押引動杆１０５の動作は、伝動部材１０６を介して弁体１０１に伝えられ、前記弁体１０１を開弁する。ａは、前記押引動杆１０５のテーパー面ｂに形成した係合突起であり、前記伝動部材１０６の左端部ｃと係合するように構成されている。また、１０７は、衛生洗浄装置を便器に係脱する際に押動される左右動レバーであり、前記衛生洗浄装置を係脱する際には、先端に設けた突起１０８に寄り、前記押引動杆１０５を動作するものである。
【０００７】
前記衛生洗浄装置において、タンク１０２内の残留水を水抜きする場合にあは、図１１に示すように、伝動部材１０６の左端部ｃが押引動杆１０５のテーパー面ｂ右端に圧接した状態から、押引動杆１０５を図の右方に押しやると、押引動杆１０５のテーパー面ｂにより押し下げられた伝動部材１０６は、半時計周りに回動する。これによって前記伝動部材１０６の右端側が、タンク１０２の排水口１０３の弁座１０４を閉塞する弁体１０１を上方へ押動して開弁する。このとき、前記伝動部材１０６の左端部ｃは。押引動杆１０５の係合突起ａに係合され、快弁状態を維持する。
【０００８】
つづいて、前記衛生洗浄装置を、保守・点検のために便器から取り外すには、図１１に示す左右動レバー１０７の右端を押圧して衛生洗浄装置と便器間の図示しない係合を解除することによって、前記衛生洗浄装置を便器から取り外すことができる。その際に、何等かの事情で弁体１０１が開いた状態にあると、左右動レバー１０７を上記のように押圧した時に、その左端に形成した突起１０８が、押引動杆１０５の自動開閉用の突部１０９に当接し、前記押引動杆１０５を左方へ押しやる。これによって、図１１に示す伝動部材１０６の左端部ｃは、押引動杆１０５の係合突起ａとの係合が解かれて、弁体１０１は自ずから閉弁される。
【０００９】
【発明が解決しようとする課題】
前記衛生洗浄装置の水抜弁開閉機構は、衛生洗浄装置を便器から取外す際、その取外し動作と連動して弁体１０１が自動的に閉弁されるため、衛生洗浄装置内のタンク１０２から水が漏出して衣服やトイレの床を水浸しにするといった問題を良好に解決できる反面、前記弁体１０１を閉弁するには、左右動レバー１０７によって押引動杆１０５の自動閉弁用突部１０９を押動操作しなければならないので、前記押引動杆１０５と左右動レバー１０７は、その配置をずらして設置するための広いスペースが必要となり、機器の大型化を招くと共に、前記タンク１０２等、機能部品の設置等に自由度がなくなるといった問題があった。
【００１０】
本発明は、保守・点検等の為に、便器から衛生洗浄装置を取外すと、水抜弁が開いている場合には、その取外し操作に連動して水抜弁が自動的に閉弁されるようにした衛生洗浄装置の水抜弁開閉機構を簡素な構成、かつ、少ない占有スペースで提供することを目的とする。
【００１１】
【課題を解決するための手段】
上記の目的を達成する為の、本発明による衛生洗浄装置の水抜弁開閉機構は、便器着脱自在に組み付けられる衛生洗浄装置において、温水タンクの水抜弁を、必要に応じて手動により開閉させ、また、衛生洗浄装置の着脱操作に連動して自動閉弁されるようにしたものであって、ばねによっり閉弁付勢された弁体を備える水抜弁、及び該水抜弁の開閉操作用の押引動杆と、該押引動杆の動きを前記弁体に伝えて開弁させる伝動部材、及び前記開弁状態を維持する開弁維持手段と、衛生洗浄装置を便器に着脱自在に固定させるために、便器側に設けた被係合部材、及び衛生洗浄装置側に設けられ、前記押引動杆の動きと連動して被係合部材と係脱される係合部材を具備して構成した。
【００１２】
また、前記伝動部材は、その中間部を支軸に枢支され、一端を前記押引動杆に設けた突出ピンに係止され、他端を前記弁体の支軸に当設するＬ字形状レバーであり、前記開弁維持手段は、前記押引動杆の中途に設けられて、衛生洗浄装置の一端側に係脱突起により構成した。
【００１３】
さらに、前記係合部材は、一端をばね力により押圧付勢して、他端を伝動部材の一端に係止する突出ピンを備えて押引動杆と当設するように配置した左右動レバーに複数の鉤形突起を備えて構成し、前記被係合部材は、係合部材の鉤形突起に係脱する鉤状凹部を備えて、前記押引動杆の押引動により係合部材と被係合部材を係脱するように構成した。
【００１４】
本発明は、便器と衛生洗浄装置を係合する係合部材と連動して温水タンクの水抜弁を動作するよう構成したので、前記係合部材を操作して衛生洗浄装置を便器から取外す際には、前記水抜弁は自動的に閉弁され、温水タンク内の残留水がこぼれ出て、導電部が破水したり、作業者の衣服や床を濡らす失態を招かなくて済む。
【００１５】
【発明の実施の形態】
以下に、図面を参照しながら本発明の一実施例を説明する。図１に示したように、衛生洗浄装置１００は、便器２００の後部上面に着脱自在に組付けられている。この衛生洗浄装置１００は、図２に示したように、ケーシング１内に、ヒータ一を内蔵する温水タンクA、水道圧調節用の減圧弁と水路開閉用の電磁弁とからなるバルブユニツトB、与圧した温水を体の汚れた部分に吹き付ける温水噴射ノズルＣ等を配設している。
【００１６】
部分平面図としての図３に示したように、温水タンクAの前面下部に設けた排水口２には、図４に示した構造の水抜弁３を取付けている。この水抜弁３は、排水口２に設けた弁座３ｂに向けて接離動可能に配設した弁体３ａを、コイルばね３ｃによって弁座に押し付ける構成になっている。３ｄは、弁体３ｂの接離動用の支軸である。
【００１７】
図３、図５に於いて、４は、水抜弁３の開閉操作用の押引動杆で、その左端上面には突出ピン４ｄを設けている。５は、押引動杆４の動きを弁体３ａに伝える為のレバー（伝動部材）５で、中間部を支軸６に枢支されている。レバー５の右側部分５ａの先端部には長孔係止孔５ｃを設け、係止孔５ｃを突出ピン４ｄ及び後述する左右動レバーの右端上面の突出ピン１３ｄに擺動自在に係止させている。レバー５の左側部分５ｂの先端は、弁体３を開弁方向に押圧し得る状態で、支軸３ｄの前側に当接させている。
【００１８】
押引動杆４の中途には小突起ｄを設けて、この小突起ｄとロックピンｅとで水抜弁３の開弁維持手段としている。更に、押引動杆４の一端には、指掛部４ａを設けている。押引動杆４の他端には、左右動レバー１３を配設し、押引動杆４を押し込むと押引動杆４の左端が左右動レバー１３の一端に当接し、押引動杆４の押し込み力を伝達するようにしている。
【００１９】
次に、図６〜図９は、衛生洗浄装置１００を、便器２００の後部上面に着脱自在に組付ける為の組付機構を示している。図６に於いて、１１は、衛生洗浄装置のケーシング１の底面上に設けた被係合部材であり、２１は、便器２００の後部上面に匿定された係合部材である。
【００２０】
被係合部材１１は、ケーシング１の底面上に左右方向に配設した溝状のガイドレール１２に沿って左右動する左右動レバー１３を備えている。この左右動レバー１３は、コイルばね１４によって、右側方向に押圧付勢されており、右端上面には突出ピン１３ｄを設けている。又、左端には左右動レバー１３にコイルばね１４の付勢力が良好に付勢されるように形成した突起１３ａを設けている。
【００２１】
左右動レバー１３の長手方向の二箇所には、鉤状突起１５、１５を、係合部材２１に向けて突設している。更に、図６，７に示したように、ケーシング１の底面上には、その後端とガイドレール１２との間に、計４条の係合用凹条ｃを所定間隔を隔てて並列状に形成させている。１２ａは鉤状突起１５の挿通孔で、ガイドレール１２に設けている。
【００２２】
一方、矩形プレート状をした係合部材２１の前縁部には、鉤状突起１５、１５を係脱自在に挿嵌させる、鉤状凹部２２、２２を設けている。又、係合部材２１の前縁と後縁との間には、被係合部材１１の各係合用凹条ｃに挿嵌させる計４条の係合用突条ｄを並列状に形成させている。
【００２３】
次に、上記構成の作用を図１０を用いて説明する。まず、水抜弁３を手動で開弁させるには、図１０の（ａ）に示したように、レバー５ｂの先端が水抜弁３の支軸３ｄを上方へ押圧しない閉弁状態から、図１０の（ｂ）に示したように、押引動杆４を右方に引きやると、その左端に設けた突出ピン４ｄと、鉤状突起１５、１５により被係合部材２１の鉤状凹部２２に係合された左右動レバー１３の右端に設けた突出ピン４ｄとで係止孔５ｃを両方から引っ張ることになるため、レバー５は、反時計廻り方向に回動する。
【００２４】
これによって、レバー５ｂの先端側が、コイルばね３ｃの付勢力に抗して弁体３ａの支軸３ｄを上方へ押動して開弁させる。そして、押引動杆４を完全に引き終えた段階で、押引動杆４の中途に設けた小突起ｂがロックピンｅを乗り越えてこの突起に係止され、開弁状態が維持される。再び閉弁させるには、指掛部４ａによって、押引動杆４を押し戻せば、上記小突起ｄとロックピンｅの係止が解かれ、コイルばね３ｃの付勢カにより自ずから閉弁する。便器２００から衛生洗浄装置１００を取り外すには、図１０の（ｃ）に示したように、押引動杆４を指掛部４ａによって押しやると、押引動杆４の左端部が左右動レバー１３の右端部に当接させ、左右動レバーを押しやることにより、被係合部材２１の鉤状凹部２２と、左右動レバー１３び鉤状突起１５、１５との係合を解くことにより行う。
【００２５】
その際に、若し、何等かの事情で水抜弁３が開いたままであっても、脱操作は前記押引動杆４を押す作業であるため、前記押引動杆４の押動操作によって、小突起ｄとロックピンｅとの係合が解かれて、レバー５は反時計廻りに回動して水抜弁３の支軸３ｄを下方へ移動し水抜弁３を閉弁する。
【００２６】
次に、衛生洗浄装置１００を、図１に示した状態で便器２００に組付けるには、先ず、押引動杆４を図１０の（ａ）に示す通常位置に戻す。その上で、図６に示したように、衛生洗浄装置１００を、係合部材１１の各係合用凹条ｃが、便器２００側の係合部材２１の各係合用突条ｇに挿嵌される位置関係を保って、後方に押しやると、鉤状突起１５、１５が、鉤状凹部２２の狭められた開口部に当接する。この状態で更に強く押しやると、図１０の（ｄ）から理解されるように、コイルばね１４の押圧付勢カによって、鉤状突起１５、１５を、鉤状凹部２２に抜止状態で挿嵌させることができる。かくして、衛生洗浄装置１００の組付けは、殆どワンタツチ操作で完了する。
【００２７】
なお、上記構成において、細部の構造は適宜に設計変更しても本発明の目的は達成される。例えば、伝動部材や、開弁維持手段ｃ、ｄ等の構成は、図示に限られず、衛生洗浄装置１００の全体構成の如何に応じて周知の技術を適宜に流用しても良い。
【００２８】
以上のように、本発明の衛生洗浄装置の水抜弁開閉機構は、便器と衛生洗浄装置との係合を解くときに操作する左右動レバーを、温水タンクの水抜弁を動作する押引動杆と連動するよう構成したので、前記衛生洗浄装置を便器から取外す際にも、前記水抜弁は自動で閉弁されて、衛生洗浄装置内や便器まわりを水浸しにすることはない。また、前記左右動レバーと押引動杆は、ともに連動するように直線上に配置して構成したので、前記左右動レバーと押引動杆の設置スペースを縮小できる。
【００２９】
【発明の効果】
以上の説明によって明らかなように、本発明による衛生洗浄装置の水抜弁開閉機構は、以下に列挙した如き、実用上の優れた効果を奏する。
（ａ）着脱自在の衛生洗浄装置を便器から取り外す時に、若し、温水タンクの水抜弁が開いていても、この取外操作に連動して、この水抜弁は自動的に閉弁される。
（ｂ）その為、温水タンクの構造上幾分かは残留する水が、作業者の衣服や床を濡らす失態を招く恐れが確実に解消する。
（ｃ）又、一且取外した衛生洗浄装置を再び取付ける時に、水抜弁は必ず閉弁されているので、従来のように閉め忘れによって、温水タンクに供給される水が、直接便器側に流出してしまう不都合も生じ無くなる。
（ｄ）自動閉弁機構は、衛生洗浄装置と便器との着脱機構を流用して、極めて簡素に構成出来る。
（ｅ）更に、衛生洗浄装置を便器との係合を解く際に動作する左右動レバーと押引動杆は、ともに連動しやすいように直線上に配置して構成したので、前記左右動レバーと押引動杆の設置スペースを縮小でき、タンク等、機能部品の設置に自由度が増すとともに、機器全体の寸法を縮小でき経済的である。
【図面の簡単な説明】
【図１】本発明の一実施例を示す、衛生洗浄装置を便器に組付けた状態の斜視図である。
【図２】同上、衛生洗浄装置の内部を示したブロック図である。
【図３】同上、一部横断面示す、要部の平面図である。
【図４】同上、水抜弁の縦断面図である。
【図５】同上、要部の斜視図である。
【図６】同上、衛生洗浄装置側に設けた被係合部材と、便器側に設けた係合部材の夫々の構成を示す平面図である。
【図７】同上、被係合部材の正面図である。
【図８】同上、係合部材の正面図である。
【図９】同上、被係合部材と係合部材とを係合させた状態の平面図である。
【図１０】同上、係合部材と被係合部材とを係合させた状態の平面図である。
【図１１】従来の衛生洗浄装置の水抜弁開閉機構を示す横断面図である。
【符号の説明】
３…水抜弁
３ａ，１０ｌ…弁体
３ｃ，１４…コイルばね
３ｄ…支軸
４，１０５…押引動杆
４ｄ、１３ｄ…突出ピン
５、１０６…レバー（伝動部材）
５ｃ…長孔係止孔
１１…係合部材
１３、１０７…左右動レバー
１５…鉤状突起
２１…被係合部材
１００…便器
１０２、Ａ…温水タンク
ａ…係合突起
ｄ…小突起
ｅ…ロックピン
【図１】
0003539535.tif 000002
【図２】
0003539535.tif 000003
【図３】
0003539535.tif 000004
【図４】
0003539535.tif 000005
【図５】
0003539535.tif 000006
【図６】
0003539535.tif 000007
【図７】
0003539535.tif 000008
【図８】
0003539535.tif 000009
【図９】
0003539535.tif 000010
【図１０】
0003539535.tif 000011
【図１１】
0003539535.tif 000012